(57)【要約】【課題】  水槽を介して海中映像を観ることで擬似的に海中を体感できると共に、広告のみの媒体という違和感を緩和し、広告に対しての注目度を向上することが可能な広告表示水槽を提供することにある。【解決手段】  水槽の背面に映像表示手段を有し、該映像表示手段に表示される海中映像を該水槽の正面から視認可能にした広告表示水槽において、映像表示手段に対して映像を送出する映像送出手段を備え、映像送出手段が、海中映像の合間に広告映像が差し込まれた映像を映像表示手段に対して送出することを特徴とする。【選択図】図１
2009217118.tif 000002
【特許請求の範囲】
【請求項１】
水槽の背面に映像表示手段を有し、該映像表示手段に表示される海中映像を該水槽の正面から視認可能にした広告表示水槽において、
該映像表示手段に対して映像を送出する映像送出手段を備え、
該映像送出手段が、該海中映像の合間に広告映像が差し込まれた該映像を該映像表示手段に対して送出することを特徴とする広告表示水槽。
【請求項２】
前記広告映像の前後の前記海中映像が、互いに異なった海中映像であることを特徴とする請求項１記載の広告表示水槽。
【請求項３】
前記海中映像と前記広告映像との時間的な割合が、１対１であることを特徴とする請求項１又は請求項２記載の広告表示水槽。
【請求項４】
前記広告映像の時間が、１０秒から３秒であることを特徴とする請求項１又は請求項２記載の広告表示水槽。
【請求項５】
前記海中映像の時間が６０秒から２０秒で、前記広告映像の時間が４０秒から１０秒であることを特徴とする請求項１又は請求項２記載の広告表示水槽。
【請求項６】
前記広告映像が、複数の広告から構成されていることを特徴とする請求項１〜請求項５のいずれかに記載の広告表示水槽。
【請求項７】
前記広告映像が、表示内容にフェードイン効果又はフェードアウト効果を備えたことを特徴とする請求項１〜請求項６のいずれかに記載の広告表示水槽。
【請求項８】
前記広告映像が、海中映像に広告を付加する処理を施したものであることを特徴とする請求項１〜請求項７のいずれかに記載の広告表示水槽。
【請求項９】
前記広告映像が、海中映像に模した映像であることを特徴とする請求項１〜請求項８のいずれかに記載の広告表示水槽。
【発明の詳細な説明】
【技術分野】
【０００１】
本発明は、水槽の背面に映像表示手段を配置した広告表示水槽に関する。
【背景技術】
【０００２】
従来より、海水魚や淡水魚等の飼育されている水槽の背面に、液晶画面等の映像表示手段を設け、ＤＶＤプレイヤー等の映像再生装置により、水槽の背面に映像を映し出す装置が提案されている。本出願の発明者も、特許文献１及び特許文献２において、当該装置の考案を提案している。
【０００３】
また、大型の商業施設等では、商品の宣伝広告のために、大型の映像表示装置を配置し、常時広告映像を流し続けることが一般的に行われている。
【特許文献１】登録実用新案第３０７８７１４号公報
【特許文献２】登録実用新案第３１２３５３９号公報
【発明の開示】
【発明が解決しようとする課題】
【０００４】
しかしながら、従来の水槽に係る装置は、あくまでも水中映像を楽しむためのもので、商業的な活用は提案されておらず、一方で、広告映像のみを流し続ける映像表示装置では、広告に対する注目度を向上させることが困難である。
【０００５】
本発明は、このような事情に鑑みてなされたもので、水槽を介して海中映像を観ることで擬似的に海中を体感できると共に、広告のみの媒体という違和感を緩和し、広告に対しての注目度を向上することが可能な広告表示水槽を提供することにある。
【課題を解決するための手段】
【０００６】
請求項１記載の広告表示水槽は、映像表示手段に対して映像を送出する映像送出手段を備え、映像送出手段が、海中映像の合間に広告映像が差し込まれた映像を映像表示手段に対して送出することを特徴とする。
【０００７】
請求項２記載の広告表示水槽は、広告映像の前後の海中映像が、互いに異なった海中映像であることを特徴とする。
【０００８】
請求項３記載の広告表示水槽は、海中映像と広告映像との時間的な割合が、１対１であることを特徴とする。
【０００９】
請求項４記載の広告表示水槽は、広告映像の時間が、１０秒から３秒であることを特徴とする。
【００１０】
請求項５記載の広告表示水槽は、海中映像の時間が６０秒から２０秒で、広告映像の時間が４０秒から１０秒であることを特徴とする。
【００１１】
請求項６記載の広告表示水槽は、広告映像が、複数の広告から構成されていることを特徴とする。
【００１２】
請求項７記載の広告表示水槽は、広告映像が、表示内容にフェードイン効果又はフェードアウト効果を備えたことを特徴とする。
【００１３】
請求項８記載の広告表示水槽は、広告映像が、海中映像に広告を付加する処理を施したものであることを特徴とする。
【００１４】
請求項９記載の広告表示水槽は、広告映像が、海中映像に模した映像であることを特徴とする。
【発明の効果】
【００１５】
請求項１の発明によれば、映像送出手段が海中映像の合間に広告映像が差し込まれた映像を映像表示手段に対して送出することで、水槽を介して海中映像を観ることで擬似的に海中を体感できると共に、広告のみの媒体という違和感を緩和し、広告に対しての注目度を向上することが可能である。
【００１６】
請求項２の発明によれば、広告映像の前後の海中映像が、互いに異なった海中映像であり、異なる海中映像の合間に広告映像を挿入することで、イメージの違う海中映像を違和感なく切り替えることが可能である。
【００１７】
請求項３の発明によれば、海中映像と広告映像との時間的な割合を１対１にすることで、擬似的に海中を体感できる効果と広告に対しての注目度を向上できる効果とを共存させることが可能である。
【００１８】
請求項４の発明によれば、広告映像の時間を１０秒から３秒と短くすることで、擬似的に海中を体感できる効果を主にした場合であっても、観る人に強い印象を与える広告を提供することが可能である。
【００１９】
請求項５の発明によれば、海中映像の時間を６０秒から２０秒、広告映像の時間を４０秒から１０秒とすることで、テレビＣＭと同様な広告時間となり、広告のみの媒体という違和感を緩和しやすく、広告に対しての注目度を向上することが可能である。
【００２０】
請求項６の発明によれば、広告映像を複数の広告から構成することで、限られた広告映像の表示時間を効率的に活用できると共に、広告映像に変化を持たせることができ広告に対しての注目度を向上することが可能である。
【００２１】
請求項７の発明によれば、広告映像の表示内容にフェードイン効果又はフェードアウト効果を取り入れることで、海中映像から広告映像への切替や広告映像から海中映像への切替において、切替の違和感を軽減することが可能である。
【００２２】
請求項８の発明によれば、広告映像が海中映像に広告を付加する処理を施したものであることで、広告映像の広告効果を向上させることができる。
【００２３】
請求項９の発明によれば、広告映像が海中映像に模した映像であることで、広告映像の広告効果を向上させることができる。
【発明を実施するための最良の形態】
【００２４】
以下、本発明の形態について図面を参照しながら具体的に説明する。本発明の形態における広告表示水槽は、水槽の背面に映像表示手段を有し、映像表示手段に表示される海中映像を水槽の正面から視認可能にしたものである。図１は、本発明に係る広告表示水槽の一例を示す正面図である。図２は、同広告表示水槽の構成を示す説明図である。図３は、同広告表示水槽の海中映像を示す説明図である。図４は、同広告表示水槽の広告映像を示す説明図である。図５は、同広告表示水槽の広告映像の他の例を示す説明図である。図６は、同広告表示水槽の広告映像のさらに他の例を示す説明図である。図７は、同広告表示水槽の映像の管理を示す説明図である。
【００２５】
図において、広告表示水槽１は、水槽４の背面に映像表示手段１０を有し、映像表示手段１０に対して映像を送出する映像送出手段１２を備えている。水槽４は、魚介類を鑑賞可能に展示するもので、単に水を入れただけのものでもよいし、図に示すように、岩６ａ、海中植物６ｂ等を配設し、実際に魚６ｃを泳がせるようにしてもよい。
【００２６】
映像表示手段１０は、ブラウン管式や液晶式のディスプレイで、水槽４の正面から表示された映像が視認可能なものであれば、どのような形態のものであってもかまわない。映像送出手段１２は、映像表示手段１０に対して電子信号として映像を送るもので、例えばビデオプレーヤ、ＤＶＤプレーヤ等の映像再生装置である。尚、映像が送出可能であれば、どのような形態のものでもよく、コンピュータや、デジタル・プレーヤのような携帯端末であってもよい。また、映像の元になるデータは、映像送出手段１２の内部に予め保存されているものでもよいし、ビデオテープやＤＶＤのような媒体で映像送出手段１２に提供されるものであってもよい。またさらに、インターネットのような通信手段により、映像が映像送出手段１２に供給されるような形式であってもかまわない。
【００２７】
次に、以上のような構成の広告表示水槽１の動作について説明する。広告表示水槽１は、図３に示すように、実際の海中の映像を撮影した海中映像２０を映像表示手段１０で表示する。そして、海中映像２０の合間に、図１に示すような広告映像２２を差し込んで表示する。
【００２８】
海中映像２０と広告映像２２との時間的な割合は、映像の内容等により任意に定めることは可能であるが、擬似的に海中を体感できる効果と広告に対しての注目度を向上できる効果とを共存させることが可能である。
【００２９】
また、海中映像２０と広告映像２２との時間としては、広告映像２２の時間を１０秒から３秒程度と短くすることも可能である。広告映像２２の時間を短くすることで、擬似的に海中を体感できる効果を主にした場合であっても、観る人に強い印象を与える広告を提供することが可能である。
【００３０】
さらに、海中映像２０と広告映像２２との時間を、海中映像２０の時間が６０秒から２０秒で、広告映像２２の時間が４０秒から１０秒とすることも可能である。このような時間設定にすることで、テレビＣＭと同様な広告時間となり、広告のみの媒体という違和感を緩和しやすく、広告に対しての注目度を向上することが可能である。尚、海中映像２０の合間に差し込まれる広告映像２２は、必ずしも１種類の広告である必要はなく、複数の広告から広告映像２２が構成されるようにしてもよい。このように、１つの広告映像２２を複数の広告から構成させることで、限られた広告映像の表示時間を効率的に活用できると共に、広告映像に変化を持たせることができ広告に対しての注目度を向上することが可能である。
【００３１】
海中映像２０は、広告映像２２の前後で、互いに異なった映像にすることも可能である。例えば、広告映像２２の前後で違う海域の映像として、一方でハワイの海で、他方が沖縄の海にする等の方法がある。このように、広告映像の前後の海中映像２０が互いに異なった海中映像であり、異なる海中映像の合間に広告映像２２を挿入することで、イメージの違う海中映像を違和感なく切り替えることが可能である。
【００３２】
広告映像２２としては、図１に示すように、単なる文字広告でもよいし、絵や写真や動画を用いて構成させることも可能である。また、映像効果として、図３に示すように、広告映像２４の中での表現内容として、映像効果２４ａがフェードインしたりフェードアウトするようにしてもよい。このように、広告映像２４の表示内容にフェードイン効果又はフェードアウト効果を取り入れることで、海中映像から広告映像への切替や広告映像から海中映像への切替において、切替の違和感を軽減することが可能である。
【００３３】
また、図５に示すように、海中映像３０自体は実際の海の様子を示すもので（珊瑚映像３０ｃ等は実際の海中の物）、魚映像３０ａは、何ら加工を加えていない魚の映像であるが、他の魚の映像に加工を加え（図５では、魚の側面に「ＡＢ商店」と画像処理で書き込みを施している）、加工魚映像３０ｂとして、広告映像を作り出すことも可能である。このように、広告映像が海中映像に広告を付加する処理を施したものであることで、広告映像の広告効果を向上させることができる。
【００３４】
さらに、図６に示すように、疑似海中映像４０を作成し、その映像を広告映像として用いることも可能である。疑似海中映像４０では、海中映像３０にあった本来あるはずの珊瑚映像３０ｃ等を取り除き、魚映像だけにしている。またさらに、その魚自体もＣＧで作成した疑似魚映像４０ａ、４０ｂにすることで、海中映像に模した映像にしている。図６の模擬魚映像４０ａでは、横断幕を魚が引いている映像になっているが、広告の表現方法により制限されるものではない。このように、広告映像が海中映像に模した映像であることで、広告映像の広告効果を向上させることができる。
【００３５】
以上のような広告表示水槽１における海中映像と広告映像との切替の管理の様子を示すものが図７のマップである。図７の例では、各月（５月〜８月）毎に映像の内容が変えられている。そして、映像１〜３が海中映像で、ＣＭ１〜６が広告映像を示し、各海中映像（映像１〜３）が３０秒単位で製作され、各広告映像（ＣＭ１〜６）が１５秒単位で製作されたものである。尚、広告映像は２本が続けて流され、２本が１体で３０秒の広告映像となり、海中映像と広告映像の時間の割合が１対１に設定されている。実際の表示では、ＣＭ６が終わると、引き続き映像１に戻るようになり、映像１〜ＣＭ６までの１連の流れが繰り返し表示される。
【００３６】
以上のように構成された広告表示水槽１によれば、映像送出手段１２が海中映像２０の合間に広告映像２２が差し込まれた映像を映像表示手段１０に対して送出することで、水槽４を介して海中映像を観ることで擬似的に海中を体感できると共に、広告のみの媒体という違和感を緩和し、広告に対しての注目度を向上することが可能である。
【００３７】
また、病院や公民館等のホールのように公共的意味合いの強い場所では、広告媒体としての装置では設置が認められないケースが多いが、本発明の広告表示水槽１であれば、海中映像２０という環境映像を表示する手段でもあることから、違和感なく設置できる可能性が増大する。
【００３８】
さらに、単に海中映像２０のみを表示する装置の場合、装置の費用等を設置者が負担する必要があるが、広告映像２２を表示することで、広告主から広告料を得ることも可能で、設置者の装置の維持費用の負担を軽減することができる。
【産業上の利用可能性】
【００３９】
以上のように、水槽を介して海中映像を観ることで擬似的に海中を体感できると共に、広告のみの媒体という違和感を緩和し、広告に対しての注目度を向上することが可能な広告表示水槽を提供することができる。
【図面の簡単な説明】
【００４０】
【図１】本発明に係る広告表示水槽の一例を示す正面図である。
【図２】同広告表示水槽の構成を示す説明図である。
【図３】同広告表示水槽の海中映像を示す説明図である。
【図４】同広告表示水槽の広告映像を示す説明図である。
【図５】同広告表示水槽の広告映像の他の例を示す説明図である。
【図６】同広告表示水槽の広告映像のさらに他の例を示す説明図である。
【図７】同広告表示水槽の映像の管理を示す説明図である。
【符号の説明】
【００４１】
１・・・・・広告表示水槽
４・・・・・水槽
６ａ・・・・岩
６ｂ・・・・海中植物
６ｃ・・・・魚
１０・・・・映像表示手段
１２・・・・映像送出手段
２０・・・・海中映像
２０ａ・・・魚映像
２０ｂ・・・魚映像
２０ｃ・・・珊瑚映像
２４・・・・広告映像
２４ａ・・・映像効果
２２・・・・広告映像
３０・・・・海中映像
３０ａ・・・魚映像
３０ｂ・・・加工魚映像
３０ｃ・・・珊瑚映像
４０・・・・模擬海中映像
４０ａ・・・模擬魚映像
４０ｂ・・・模擬魚映像
【図１】
2009217118.tif 000003
【図２】
2009217118.tif 000004
【図３】
2009217118.tif 000005
【図４】
2009217118.tif 000006
【図５】
2009217118.tif 000007
【図６】
2009217118.tif 000008
【図７】
2009217118.tif 000009